(57)【特許請求の範囲】
【請求項１】
内面又は下面に飛翔昆虫類を粘着させるための粘着シート１を貼着する屋根状の屋根型上部捕獲体２と、
この屋根型上部捕獲体２の真下に吊り下げるように配置すると共に、縦方向に向かう面壁部３を有する下部誘引体４と、
からなり、
下部誘引体４の面壁部３に着地した飛翔昆虫類を、飛翔昆虫類の性質である負の走地性を利用して、下部誘引体４の面壁部３に沿って上方に誘導して、下部誘引体４の真上に位置する屋根型上部捕獲体２における粘着シート１で、飛翔昆虫類を捕獲するようにしたことを特徴とする飛翔昆虫類捕獲器。
【発明の詳細な説明】
【技術分野】
【０００１】
本発明は、ハエやハチ等の飛翔昆虫類を捕獲するために用いられる飛翔昆虫類捕獲器に関する。
【背景技術】
【０００２】
飛翔昆虫類、例えばハエを駆除するには、内部に殺虫剤を充填したエアゾールを用いて、駆除するハエに殺虫剤を噴霧して、これを駆除するのが一般的な手法であった。
【０００３】
しかしながら、このエアゾールを用いたハエの駆除にあっては、いろいろな制約を受けるおそれがあり、これは、ハエ等が多く発生する食品や食器類のある台所付近では、エアゾールより噴霧した殺虫剤が食品や食器類に付着してしまうといった問題があり、これにより、食品や食器類のある台所付近での使用を控えているのが実情であった。
【０００４】
このため、食品や食器類のある台所付近では、エアゾールによる殺虫剤の噴霧といった手法に代わって、粘着剤が塗布されているハエ取りリボンやハエ取り紙等を用いて、これらにハエを粘着させて捕獲する手法が最適であった。
【発明の開示】
【発明が解決しようとする課題】
【０００５】
しかしながら、従来のハエ取りリボンやハエ取り紙等では、塗布した粘着剤が露出しているので、使用中、使用者の手や衣服等に当該ハエ取りリボンやハエ取り紙等がくっついてしまうといった問題があり、取扱いに注意を払う必要があった。また、ハエ取りリボンやハエ取り紙等でハエを捕獲した場合、どうしても捕獲したハエの死骸等が剥き出しのままとなり、使用者に大きな不快感を与えるといった問題があった。
【０００６】
そこで、本発明は、このような各問題の解消、すなわち、使用者に不快感を与えることなく、ハエやハチ等の飛翔昆虫類を良好に捕獲することができる飛翔昆虫類捕獲器を提供することを、その課題とする。
【課題を解決するための手段】
【０００７】
第一の発明は、内面又は下面に飛翔昆虫類を粘着させるための粘着シートを貼着する屋根状の屋根型上部捕獲体と、この屋根型上部捕獲体の真下に吊り下げるように配置すると共に、縦方向に向かう面壁部を有する下部誘引体と、からなり、下部誘引体の面壁部に着地した飛翔昆虫類を、飛翔昆虫類の性質である負の走地性を利用して、下部誘引体の面壁部に沿って上方に誘導して、下部誘引体の真上に位置する屋根型上部捕獲体における粘着シートで、飛翔昆虫類を捕獲するようにした飛翔昆虫類捕獲器である。
【発明の効果】
【００１０】
本発明によれば、下部誘引体の面壁部に着地したハエやハチ等の飛翔昆虫類を、飛翔昆虫類における負の走地性を利用して、面壁部に沿って上方に誘導することで、屋根型上部捕獲体の粘着シートでハエやハチ等の飛翔昆虫類を極めて良好に捕獲することができる。しかも、ハエやハチ等の飛翔昆虫類を捕獲する粘着シートは屋根型上部捕獲体の内面又は下面であり、これにより、粘着シートが露出することがないので、使用者の手や衣服等に粘着シートがくっついてしまうといったことがなく、取扱いを容易なものにすることができると共に、捕獲したハエやハチ等の飛翔昆虫類は屋根型上部捕獲体の内面又は下面に張り付くようになるので、ハエやハチ等の飛翔昆虫類の死骸等が剥き出しのままとなることがなく、使用中、使用者に大きな不快感を与えるといった問題もなくすことができ、これらによって、当該飛翔昆虫類捕獲器を極めて良好に使用することができる。
【発明を実施するための最良の形態】
【００１１】
本発明による飛翔昆虫類捕獲器の第一の実施形態について説明する。
【００１２】
飛翔昆虫類捕獲器としては、図１、図２に示すように、飛翔昆虫類を粘着させるための粘着シート１を貼着する屋根状の屋根型上部捕獲体２と、この屋根型上部捕獲体２の下方に配置すると共に、縦方向に向かう面壁部３を有する下部誘引体４と、からなる。
【００１３】
屋根型上部捕獲体２は、下方を大きく開口した略半球形の屋根状としたものであり、この略半球形の屋根状となる屋根型上部捕獲体２の内面全面にわたって飛翔昆虫類を粘着させるための粘着シート１を貼着する。また、この屋根型上部捕獲体２の中央上端には小さい径の小穴１１を設ける。
【００１４】
下部誘引体４は、縦長の長方形板状である短冊状としたものであり、その両面を縦方向に向かう面壁部３として、面壁部３を有するようになる。そして、この下部誘引体４の上部に紐１２を取り付けて、この紐１２を屋根型上部捕獲体２の中央上端に設けた小穴１１に通し、上下一対の留め玉１３によって屋根型上部捕獲体２に紐１２を固定する。これにより、下部誘引体４を、屋根型上部捕獲体２の下方に紐１２を介して吊り下げられるように配置する。なお、この下部誘引体４は、紐１２によって屋根型上部捕獲体２に取り付けているが、下部誘引体４の上部の形状を変更することで、下部誘引体４を屋根型上部捕獲体２に直接取り付けるようにしても良く、この場合、屋根型上部捕獲体２の上部に当該飛翔昆虫類捕獲器を吊るすためのフック等を設けるようにする。
【００１５】
なお、この下部誘引体４の色については、その色を黒色として、色を付けることにより、ハエやハチ等の飛翔昆虫類の誘引力を高めるようにする。ただし、この色については、前記の色に限定されるものではなく、こげ茶色や黒色等の濃い色であれば良い。
【００１６】
また、下部誘引体４において、その大きさは、ハエやハチ等の飛翔昆虫類の誘引を良好に行うための視認性や接触性等を考慮して、面壁部３の面積を、１〜１０００ｃｍ２に、より好ましくは、９〜２５０ｃｍ２にするのが良い。また、下部誘引体４の面壁部３の縦長さについては、下部誘引体４の面壁部３に飛翔昆虫類が着地後、飛び去ってしまうといったことを防ぐため、２０ｃｍ以下にするのが好ましい。
【００１７】
そして、このような飛翔昆虫類捕獲器における実際の使用状態について説明する。なお、これは、ハエを捕獲する例である。
【００１８】
当該飛翔昆虫類捕獲器を、例えば台所の天井や壁等に引っ掛けて吊るす。すると、飛び回っているハエが下部誘引体４を止り木と思い、足場として下部誘引体４の面壁部３に着地する。そして、下部誘引体４の面壁部３に着地したハエは、ハエやハチ等の飛翔昆虫類における負の走地性により、面壁部３に沿って上方に向かって移動、すなわち上方に誘導する。この負の走地性とは、飛翔昆虫類等において、重力に逆らって上方に向かって移動する性質のことである。
【００１９】
そして、この負の走地性により、ハエは下部誘引体４の面壁部３に沿って上方に移動し、さらに紐１２を伝わって上方に移動する。そして、上方に移動したハエは屋根型上部捕獲体２の内面全面にわたって貼着した粘着シート１にくっついて捕獲される。
【００２０】
このようにして、当該飛翔昆虫類捕獲器を台所等に配置して、下部誘引体４の面壁部３に沿って上方に誘導して、上方の屋根型上部捕獲体２における粘着シート１でハエを捕獲するようにしたことで、台所付近にいるハエを駆除する。
【００２１】
以上のように、下部誘引体４の面壁部３に着地したハエを、飛翔昆虫類における負の走地性を利用して、面壁部３に沿って上方に誘導し、屋根型上部捕獲体２の粘着シート１でハエを捕獲することにより、ハエを良好に捕獲することができる。しかも、ハエを捕獲する粘着シート１は屋根型上部捕獲体２の内面であり、これにより、粘着シート１が露出することがないので、使用者の手や衣服等に粘着シートがくっついてしまうといったことがなく、取扱いを容易なものにすることができると共に、捕獲したハエは屋根型上部捕獲体２の内面に張り付くようになるので、ハエの死骸等が剥き出しのままとなることがなく、使用中、使用者に大きな不快感を与えるといった問題もなくすことができる。
【００２２】
次に、屋根型上部捕獲体２と下部誘引体４とにおける他の形状について述べる。ただし、これらに限定されるものではない。
【００２３】
屋根型上部捕獲体２としては、図３（ａ）に示すように、下方を開口した四角錐形の屋根状としたもので、その内面全面に粘着シート１を貼着するようにしても良く、図３（ｂ）に示すように、下方を開口した円錐形の屋根状としたもので、その内面全面に粘着シート１を貼着するようにしても良い。一方、図３（ｃ）に示すように、下方を開口した薄箱型の屋根状としたもので、その内面全面に粘着シート１を貼着するようにしても良い。また、図３（ｄ）に示すように、二枚の板材をへ字形に配置して屋根状としたもので、その下面全面に粘着シート１を貼着するようにしても良い。
【００２４】
下部誘引体４としては、図４（ａ）や図４（ｂ）に示すように、縦長の長方形板状である短冊状の上辺４ａを山形や半円形にして、上端に向かって横幅が狭くなる形状にしても良い。このように下部誘引体４を、その上端に向かって横幅が狭くなる形状にしたことにより、下部誘引体４の面壁部３に着地したハエ等を負の走地性により下部誘引体４の上端まで確実に移動させて、屋根型上部捕獲体２で捕獲することができる。これは、下部誘引体４の上辺４ａが水平であると、下部誘引体４の上端まで移動してきたハエ等が上辺４ａから飛び去ってしまうといったことが多少あり、下部誘引体４をその上端に向かって横幅が狭くなる形状にすることで、これを防止する。
【００２５】
また、前述の下部誘引体４における上端に向かって横幅が狭くなる形状にすることを考慮すると、下部誘引体４としては、図５（ａ）、図５（ｂ）、図５（ｃ）に示すように、全体を三角形や円形さらには半円形といった形状にしても良い。
【００２６】
さらに、下部誘引体４としては、図６に示すように、二枚の三角形状となる板材１５を交差させて十字状につなぎ合わせた形状のものでも良い。このように二枚の板材１５を交差させて十字状につなぎ合わせたことにより下部誘引体４を３６０度どの方向からもハエ等に視認させることができ、これらの下部誘引体４にハエ等を極めて高い確率で着地させことができる。要するに、下部誘引体４におけるハエチ等の誘引力を高めることができる。なお、二枚の板材１５をつなぎ合わせた形状のものに限定されるものではなく、三枚やそれ以上の枚数の板材１５をつなぎ合わせた形状のものでも良い。
【００２７】
なお、いろいろな形状の屋根型上部捕獲体２及び下部誘引体４について述べたが、これら屋根型上部捕獲体２と下部誘引体４との組み合わせは自由である。
【００２８】
次に、本発明による飛翔昆虫類捕獲器における参考例としての実施形態について説明する。
【００２９】
飛翔昆虫類捕獲器としては、前述の第一の実施形態と同様、図７、図８に示すように、飛翔昆虫類を粘着させるための粘着シート１を貼着する屋根状の屋根型上部捕獲体２と、この屋根型上部捕獲体２の下方に配置すると共に、縦方向に向かう面壁部３を有する下部誘引体４と、からなる。
【００３０】
屋根型上部捕獲体２は、下方のみを大きく開口した円筒形の屋根状としたものであり、この円筒形の屋根状となる屋根型上部捕獲体２の内面全面にわたって飛翔昆虫類を粘着させるための粘着シート１を貼着する。
【００３１】
下部誘引体４は、縦長の円錐形状としたものであり、その側面全面を縦方向に向かう面壁部３として、面壁部３を有するようになる。そして、この下部誘引体４の上端を円筒形の屋根状となる屋根型上部捕獲体２の中央に下方より着脱自在に嵌合する。これにより、下部誘引体４を、屋根型上部捕獲体２の下側に固着して屋根型上部捕獲体２を支持するように配置する。
【００３２】
なお、この下部誘引体４の色については、黒色とするが、前述の第一の実施形態と同様、これに限定されるものではない。
【００３３】
そして、このような飛翔昆虫類捕獲器における実際の使用状態について説明する。なお、これも、前述の第一の実施形態と同様、ハエを捕獲する例である。
【００３４】
当該飛翔昆虫類捕獲器を、例えば台所のテーブルやカウンターの上に置く。すると、飛び回っているハエが下部誘引体４を止り木と思い、足場として下部誘引体４の面壁部３に着地する。そして、下部誘引体４の面壁部３に着地したハエは、ハエやハチ等の飛翔昆虫類における負の走地性により、面壁部３に沿って上方に向かって移動、すなわち上方に誘引する。
【００３５】
そして、この負の走地性により、ハエは下部誘引体４の面壁部３に沿って上方に移動して、上方に移動したハエは屋根型上部捕獲体２の内面全面にわたって貼着した粘着シート１にくっついて捕獲される。
【００３６】
このようにして、当該飛翔昆虫類捕獲器を台所等に配置して、下部誘引体４の面壁部３に沿って上方に誘導して、上方の屋根型上部捕獲体２における粘着シート１でハエを捕獲するようにしたことで、台所付近にいるハエを駆除する。
【００３７】
以上のように、前述の第一の実施形態と同様、下部誘引体４の面壁部３に着地したハエを、飛翔昆虫類における負の走地性を利用して、面壁部３に沿って上方に誘導し、屋根型上部捕獲体２の粘着シート１でハエを捕獲することにより、ハエを良好に捕獲することができる。しかも、ハエを捕獲する粘着シート１は屋根型上部捕獲体２の内面であり、これにより、粘着シート１が露出することがないので、使用者の手や衣服等に粘着シートがくっついてしまうといったことがなく、取扱いを容易なものにすることができると共に、捕獲したハエは屋根型上部捕獲体２の内面に張り付くようになるので、ハエの死骸等が剥き出しのままとなることがなく、使用中、使用者に大きな不快感を与えるといった問題もなくすことができる。
【００３８】
次に、屋根型上部捕獲体２と下部誘引体４とにおける他の形状について述べる。ただし、これらに限定されるものではない。
【００３９】
屋根型上部捕獲体２として、前述の第一の実施形態と同様、図９（ａ）に示すように、下方を開口した四角錐形の屋根状としたもので、その内面全面に粘着シート１を貼着するようにしても良く、図９（ｂ）に示すように、下方を開口した円錐形の屋根状としたもので、その内面全面に粘着シート１を貼着するようにしても良い。一方、図９（ｃ）に示すように、下方を開口した薄箱型の屋根状としたもので、その内面全面に粘着シート１を貼着するようにしても良い。また、図９（ｄ）に示すように、二枚の板材をへ字形に配置して屋根状としたもので、その下面全面に粘着シート１を貼着するようにしても良い。
【００４０】
下部誘引体４としては、図１０（ａ）、図９（ｂ）に示すように、三角錐や四角錐といった形状にしても良い。また、図１０（ｃ）に示すように、全体が円柱でその上端が円錐となるといった形状のものにしても良い。
【００４１】
さらに、図１１に示すように、二枚の三角形状となる板材１６を交差させて十字状につなぎ合わせた形状のものでも良い。なお、二枚の板材１６をつなぎ合わせた形状のものに限定されるものではなく、三枚やそれ以上の枚数の板材１６をつなぎ合わせた形状のものでも良い。
【００４２】
なお、いろいろな形状の屋根型上部捕獲体２及び下部誘引体４について述べたが、これら屋根型上部捕獲体２と下部誘引体４との組み合わせは自由である。
【００４３】
次に、本発明による飛翔昆虫類捕獲器において、試験を行ったので、これらについて説明する。
【００４４】
この試験としては、飛翔昆虫類捕獲器における下部誘引体４の効果について試験した。図１２（ａ）に示すように屋根型上部捕獲体２の下方に短冊状の下部誘引体４を吊り下げた試験品Ａと、図１２（ｂ）に示すように、下部誘引体４のない試験品Ｂとを使用して、屋根型上部捕獲体２の捕獲数を調べた。なお、試験品Ａにおける短冊状の下部誘引体４としては、縦の長さ１５ｃｍ、横幅６．５ｃｍ、厚さ０．５ｍｍの黒色の塩化ビニル板とする。
【００４５】
そして、チャンバー（大きさは、縦１．８２ｍ、横１．８２ｍ、高さ１．８２ｍ）内の天井に試験品Ａと試験品Ｂを吊るして、チャンバー内に、キイロショウジョウバエ（Ｄｒｏｓｏｐｈｉｌａ  ｍｅｌａｎｏｇａｓｔｅｒ）１００匹とイエバエ（Ｄｏｍｅｓｔｉｃａ  ｍｕｓｃａ）５０匹を放ち、２４時間経過した後に試験品Ａと試験品Ｂで捕獲したハエの数、すなわち捕獲数を数えた。この結果を、以下の表１に示す。
【００４６】
【表１】
0004968846.tif 000002
【００４７】
試験品Ａでは、キイロショウジョウバエの捕獲数が９０匹で捕獲率は９０％、イエバエの捕獲数が４０匹で捕獲率は８０％であり、これに対し、試験品Ｂでは、キイロショウジョウバエの捕獲数が２匹で捕獲率は２％、イエバエの捕獲数が０匹で捕獲率は０％である。このことから、下部誘引体４を吊り下げた試験品Ａの方が、下部誘引体４のない試験品Ｂよりも明らかにハエの捕獲において著しい効果があることがわかる。
【図面の簡単な説明】
【００４８】
【図１】本発明による飛翔昆虫類捕獲器の第一の実施形態の斜視図である。
【図２】本発明による飛翔昆虫類捕獲器の第一の実施形態の断面図である。
【図３】（ａ）屋根型上部捕獲体における他の形状を示す説明図である。（ｂ）屋根型上部捕獲体における他の形状を示す説明図である。（ｃ）屋根型上部捕獲体における他の形状を示す説明図である。（ｄ）屋根型上部捕獲体における他の形状を示す説明図である。
【図４】（ａ）下部誘引体における他の形状を示す説明図である。（ｂ）下部誘引体における他の形状を示す説明図である。
【図５】（ａ）下部誘引体における他の形状を示す説明図である。（ｂ）下部誘引体における他の形状を示す説明図である。（ｃ）下部誘引体における他の形状を示す説明図である。
【図６】下部誘引体における他の形状を示す説明図である。
【図７】本発明による飛翔昆虫類捕獲器における参考例としての実施形態の斜視図である。
【図８】本発明による飛翔昆虫類捕獲器における参考例としての実施形態の断面図である。
【図９】（ａ）屋根型上部捕獲体における他の形状を示す説明図である。（ｂ）屋根型上部捕獲体における他の形状を示す説明図である。（ｃ）屋根型上部捕獲体における他の形状を示す説明図である。（ｄ）屋根型上部捕獲体における他の形状を示す説明図である。
【図１０】（ａ）下部誘引体における他の形状を示す説明図である。（ｂ）下部誘引体における他の形状を示す説明図である。（ｃ）下部誘引体における他の形状を示す説明図である。
【図１１】下部誘引体における他の形状を示す説明図である。
【図１２】（ａ）試験における試験品Ａを示す説明図である。（ｂ）試験における試験品Ｂを示す説明図である。
【符号の説明】
【００４９】
１…粘着シート、２…屋根型上部捕獲体、３…面壁部、４…下部誘引体、４ａ…上辺、１１…小穴、１２…紐、１３…留め玉、１５…板材、１６…板材
【図１】
0004968846.tif 000003
【図２】
0004968846.tif 000004
【図３】
0004968846.tif 000005
【図４】
0004968846.tif 000006
【図５】
0004968846.tif 000007
【図６】
0004968846.tif 000008
【図７】
0004968846.tif 000009
【図８】
0004968846.tif 000010
【図９】
0004968846.tif 000011
【図１０】
0004968846.tif 000012
【図１１】
0004968846.tif 000013
【図１２】
0004968846.tif 000014